(57)【要約】【課題】  例えば車載用の地上デジタル放送受信装置において、受信品質が良好なときには固定端末向けの高画質のコンテンツ信号を出力し、受信品質が不充分なときには移動体端末向けの低画質のコンテンツ信号を出力することにより、高画質と広い受信エリアを確保する。【解決手段】  受信装置１０は、Ａ階層（移動受信向け）の音声信号とＢ階層（固定受信向け）とを切り換える切換部１７と、この切換部１７を制御する制御部１８とを備えている。制御部１８は、受信信号のＳ/Ｎ比を参照し、受信品質が良好なときにはＢ階層を出力し、良好でないときにはＡ階層を出力する。さらに、制御部は、Ａ階層とＢ階層との切り換えのためのＳ/Ｎ比の閾値にヒステリシスを設け、さらに、Ａ階層からＢ階層に切り換える際に、Ｓ/Ｎ比が閾値より小さい場合であっても、Ｓ/Ｎ比の移動平均値が上昇していれば、Ｂ階層へ切り換える。【選択図】図１
2005223549.tif 000002
【特許請求の範囲】
【請求項１】
伝送チャネルをエラー耐性が高い第１の階層及びエラー耐性の低い第２の階層の少なくとも２階層に分割し、それぞれに異なるデータを伝送する階層伝送方式を採用した直交周波数分割多重（ＯＦＤＭ）信号を受信する受信装置において、
上記伝送チャネルに送信されているＯＦＤＭ信号を受信する受信手段と、
受信した上記ＯＦＤＭ信号を復調するとともに、復調した信号からデータストリームを復号する復調/復号手段と、
復号した上記データストリームを、上記第１の階層に伝送された第１階層データと上記第２の階層に伝送された第２階層データとに分離するデータ分離手段と、
上記第１階層データを復号して第１のコンテンツ信号を出力する第１の復号手段と、
上記第２階層データを復号して第２のコンテンツ信号を出力する第２の復号手段と、
受信しているＯＦＤＭ信号の受信品質を検出する受信品質検出手段と、
上記第１のコンテンツ信号又は第２のコンテンツ信号のいずれか一方を切り換えて出力する出力手段とを備え、
上記出力手段は、
エラー耐性が低い第２の階層から復号された第２のコンテンツ信号を選択出力しているときに、上記受信品質検出手段により検出した上記受信品質が第１の閾値より良いか否かを定期的に判断し、受信品質が第１の閾値より良い場合には第２のコンテンツ信号を出力し続け、それ以外の場合には選択出力するコンテンツ信号を第１のコンテンツ信号に切り換え、
エラー耐性が高い第１の階層から復号された第１のコンテンツ信号を選択出力しているときに、上記受信品質検出手段により検出した上記受信品質が第１の閾値より高い値である第２の閾値より良いか否かを定期的に判断し、受信品質が第２の閾値より良い場合又は受信品質が良い方向に上昇している場合には、選択出力するコンテンツ信号を第２のコンテンツ信号に切り換え、それ以外の場合には、第１のコンテンツ信号を出力し続けること
を特徴とする受信装置。
【請求項２】
上記受信品質検出手段が検出する受信品質は、受信信号のＳ/Ｎ比であること
を特徴とする請求項１記載の受信装置。
【請求項３】
上記出力手段は、受信信号のＳ/Ｎ比の移動平均を算出し、その移動平均値が上昇していれば、受信品質が良い方向に上昇していると判断すること
を特徴とする請求項２記載の受信装置。
【請求項４】
上記出力手段は、
上記復調手段により復調されたデータストリームのビットエラーレートを検出し、
検出したビットエラーレートが所定の値以上であれば、上記受信品質検出手段により検出した受信品質に関わらず、エラー耐性が低い第２の階層から復号された第２のコンテンツ信号を出力すること
を特徴とする請求項２記載の受信装置。
【請求項５】
上記出力手段は、  
受信動作開始時には、上記受信品質検出手段により検出した上記受信品質が第１の閾値より良いか否かを定期的に判断し、受信品質が第１の閾値より良い場合には第２のコンテンツ信号を出力し、それ以外の場合には第１のコンテンツ信号を出力すること
を特徴とする請求項１記載の受信装置。
【請求項６】
上記第１の階層は、上記伝送チャネルの中心に配置され、
上記第２の階層は、上記伝送チャネルのうち上記第１階層データを除いた周波数領域に配置されていること
を特徴とする請求項１記載の受信装置。
【発明の詳細な説明】
【技術分野】
【０００１】
本発明は、例えばデジタル地上波放送の受信機等の受信装置に関するものである。
【背景技術】
【０００２】
デジタルデータを変調する方式として、直交周波数分割多重方式（以下、ＯＦＤＭ方式と呼ぶ。ＯＦＤＭ：Orthogonal Frequency Division Multiplexing）と呼ばれる変調方式が知られている。
【０００３】
ＯＦＤＭ変調方式とは、伝送帯域内に多数の直交する副搬送波（サブキャリア）を設け、各サブキャリアの振幅及び位相にＰＳＫ（Phase Shift Keying）やＱＡＭ（Quadrature Amplitude Modulation）によりデータを割り当てて、デジタル変調する方式である。
【０００４】
ＯＦＤＭ方式は、マルチパス妨害の影響を強く受ける地上デジタル放送に適用されることが多い。ＯＦＤＭ方式を採用した地上デジタル放送としては、例えば、ＩＳＤＢ-Ｔ（Integrated Services Digital Broadcasting -Terrestrial）といった規格がある（非特許文献１参照。）。
【０００５】
ここで、ＩＳＤＢ-Ｔ規格では、階層伝送と呼ぶ伝送方式を採用している。
【０００６】
階層伝送とは、図３に示すように、１つのチャネル（伝送帯域）内を複数の領域（セグメントと呼ばれる。）に分割し、セグメント毎に異なる変調方式で放送信号を伝送することを可能としたセグメント分割方式を採用した場合において、異なる複数の放送信号を同一チャンネルに同時に放送するという伝送方式である。なお、各セグメントは、互いに直交性が保たれた状態で信号が送信され、受信側では、１つのチャネル内の複数のセグメントに伝送される放送信号を一括して復調することが可能となっている。
【０００７】
ＩＳＤＢ-Ｔ規格では、１チャネル（６ＭＨｚの帯域）内を１３個のセグメントに分割し、中心の１個のセグメントに１つの放送信号を変調し、中心のセグメントを除いた１２個のセグメントに１つの放送信号を変調するという階層伝送方式を採用している。中心の１個のセグメントの放送信号の階層を以下Ａ階層といい、Ａ階層を除いたセグメントの放送信号の階層を以下Ｂ階層という。
【０００８】
ＩＳＤＢ-Ｔ規格では、Ａ階層の放送信号を伝送容量が低く（低画質及び低音質）且つエラー耐性が高い信号とすることにより、Ａ階層を専ら移動体端末向けの放送に用い、Ｂ階層の放送信号を伝送容量が高く（高画質及び高音質）且つエラー耐性が低い信号とすることにより、Ｂ階層を専ら固定受信向けの放送に用いるように予定されている。例えば、Ａ階層の変調方式をＱＰＳＫ、符号化率２／３とし、Ｂ階層の変調方式を６４ＱＡＭ、符号化率３／４というように設定にする、と予定されている。
【０００９】
なお、ＩＳＤＢ-Ｔ規格の階層伝送には、中心の３個のセグメントをＡ階層とし、中心の３つのセグメントを除いた１０個のセグメントをＢ階層とする階層伝送方式が採用される可能性もある。
【００１０】
【特許文献１】特開平１１−３１３２９０号公報
【非特許文献１】「地上デジタル放送の伝送方式  ＡＲＩＢ  ＳＴＤ-Ｂ３０  １．１版」，社団法人電波産業界，平成１３年５月３１日  策定,平成１５年７月２９日  １．５改定
【発明の開示】
【発明が解決しようとする課題】
【００１１】
ところで、車のような移動体に搭載される受信機ではその活動範囲の広さから移動体端末向けのＡ階層の放送信号を受信するのが通常であると考えられる。しかしながら、Ａ階層の放送信号は、送出する映像ビットレートが低いため、携帯機器よりも比較的大きな画面を有する車載用受信機にとっては画質として充分ではない。
【００１２】
そこで、本発明は、階層伝送方式を採用した直交周波数分割多重信号を受信する受信装置において、受信品質が良好なときには固定端末向けの高画質のコンテンツ信号を出力し、受信品質が不充分なときには通常の移動体端末向けの低画質のコンテンツ信号を出力することにより、高画質と広いサービスエリアの確保をし、さらに、その頻繁な切り換えを抑えるとともに、高画質のコンテンツ信号が可能な状況であればなるべく高画質のコンテンツ信号が出力されるように調整された受信装置を提供することを目的とする。
【課題を解決するための手段】
【００１３】
本発明に係る受信装置は、伝送チャネルをエラー耐性が高い第１の階層及びエラー耐性の低い第２の階層の少なくとも２階層に分割し、それぞれに異なるデータを伝送する階層伝送方式を採用した直交周波数分割多重（ＯＦＤＭ）信号を受信する受信装置であって、上記伝送チャネルに送信されているＯＦＤＭ信号を受信する受信手段と、受信した上記ＯＦＤＭ信号を復調するとともに、復調した信号からデータストリームを復号する復調/復号手段と、復号した上記データストリームを、上記第１の階層に伝送された第１階層データと上記第２の階層に伝送された第２階層データとに分離するデータ分離手段と、上記第１階層データを復号して第１のコンテンツ信号を出力する第１の復号手段と、上記第２階層データを復号して第２のコンテンツ信号を出力する第２の復号手段と、受信しているＯＦＤＭ信号の受信品質を検出する受信品質検出手段と、上記第１のコンテンツ信号又は第２のコンテンツ信号のいずれか一方を切り換えて出力する出力手段とを備え、上記出力手段は、エラー耐性が低い第２の階層から復号された第２のコンテンツ信号を選択出力しているときに、上記受信品質検出手段により検出した上記受信品質が第１の閾値より良いか否かを定期的に判断し、受信品質が第１の閾値より良い場合には第２のコンテンツ信号を出力し続け、それ以外の場合には選択出力するコンテンツ信号を第１のコンテンツ信号に切り換え、エラー耐性が高い第１の階層から復号された第１のコンテンツ信号を選択出力しているときに、上記受信品質検出手段により検出した上記受信品質が第１の閾値より高い値である第２の閾値より良いか否かを定期的に判断し、受信品質が第２の閾値より良い場合又は受信品質が良い方向に上昇している場合には、選択出力するコンテンツ信号を第２のコンテンツ信号に切り換え、それ以外の場合には、第１のコンテンツ信号を出力し続けることを特徴とする。
【００１４】
以上のような構成の本発明に係る受信装置では、エラー耐性が低い第２の階層から復号された第２のコンテンツ信号を選択出力しているときに、受信品質が第１の閾値より良い場合には第２のコンテンツ信号を出力し続け、それ以外の場合には選択出力するコンテンツ信号を第１のコンテンツ信号に切り換える。また、上記受信装置では、エラー耐性が高い第１の階層から復号された第１のコンテンツ信号を選択出力しているときに、受信品質が第２の閾値より良い場合又は受信品質が良い方向に上昇している場合には、選択出力するコンテンツ信号を第２のコンテンツ信号に切り換え、それ以外の場合には、第１のコンテンツ信号を出力し続ける。
【発明の効果】
【００１５】
本発明に係る受信装置では、受信品質が良好なときには固定端末向けの高画質のコンテンツ信号を出力し、受信品質が不充分なときには移動体端末向けの低画質のコンテンツ信号を出力することにより、高画質と広いサービスエリアの確保とができる。
【００１６】
さらに、本発明に係る受信装置では、受信品質の判断にヒステリシスを設定し、それとともに、受信品質が不十分なときでも受信品質が良い方向に上昇しているのであれば、固定端末向けの高画質のコンテンツ信号を出力する。このことにより、本発明に係る受信装置では、コンテンツ信号の頻繁な切り換えが抑制され、さらに、なるべく高画質のコンテンツ信号を出力することができる。
【発明を実施するための最良の形態】
【００１７】
以下、本発明の実施の形態として、本発明を適用した地上デジタル放送受信装置について説明をする。
【００１８】
図１に、本発明を適用した地上デジタル放送受信装置１０のブロック構成図を示す。
【００１９】
地上デジタル放送受信装置１０は、図１に示すように、アンテナ１１と、チューナ１２と、ＯＦＤＭ復調/伝送路復号部１３と、分離部１４と、Ａ階層コンテンツ復号部１５と、Ｂ階層コンテンツ復号部１６と、切換出力部１７と、切り換え制御部１８とを備えている。
【００２０】
放送局から放送された放送信号は、ＩＳＤＢ−Ｔ規格に対応した信号である。すなわち、ＩＳＯ／ＩＥＣ１３８１８−１に規定されたトランスポートストリームをリードソロモン符号化、畳み込み符号化、時間及び周波数インタリーブ化する伝送路符号化処理を行い、続いて、ＩＦＦＴ（Inverse Fast Fourier Transform）演算及びガードインターバルの付加処理等のＯＦＤＭ変調処理が行われた信号である。
【００２１】
さらに、放送局から放送された放送信号には、階層伝送により２つのサービスが含まれている。すなわち、１つのチャネルを周波数方向に１３個のセグメントに分割し、その中心の１つのセグメントに伝送されるＡ階層のコンテンツ信号（映像信号及び音声信号等）と、中心の１つのセグメント以外のセグメントに伝送されるＢ階層のコンテンツ信号とが含まれている。また、Ａ階層は、伝送容量が低く（低画質及び低音質）且つエラー耐性が高い信号が変調される階層（強階層）とされており、例えば移動受信向けの放送信号が変調される。それに対して、Ｂ階層は、伝送容量が高く（高画質及び高音質）且つエラー耐性が低い信号が変調される階層（弱階層）とされており、例えば固定受信向けの放送信号が変調される。
【００２２】
このような放送信号は、受信装置１０のアンテナ１１により受信され、ＲＦ信号としてチューナ１２に供給される。
【００２３】
チューナ１２は、アンテナ１１により受信されたＲＦ信号を、乗算器及び局部発振器により周波数変換し、その後、バンドパスフィルタによりフィルタリングしてＩＦ信号を生成する。チューナ１２から出力されるＩＦ信号は、ＯＦＤＭ復調/伝送路復号部１３に供給される。
【００２４】
ＯＦＤＭ復調/伝送路復号部１３は、入力されたＩＦ信号に対して、Ａ／Ｄ変換処理、デジタル直交復調処理、ＦＦＴ演算処理、キャリア復調処理、周波数及び時間デインタリーブ、ビタビ復号処理、階層処理、トランスポートストリーム生成処理、及び、リードソロモン復号処理等を行うことによって、ＯＦＤＭ復調処理並びに伝送路復号処理を行う。ＯＦＤＭ復調/伝送路復号部１３は、ＯＦＤＭ復調処理並びに伝送路復号処理を行うことによって、トランスポートストリームを出力することができる。ＯＦＤＭ復調/伝送路復号部１３から出力されたトランスポートストリームは、分離部１４に供給される。
【００２５】
また、ＯＦＤＭ復調/伝送路復号部１３は、一定時間間隔毎に、受信信号のＳ/Ｎ比、並びに、出力するトランスポートストリームのビットエラーレート（ＢＥＲ）を測定する。ＯＦＤＭ復調/伝送路復号部１３は、測定して得られたＳ/Ｎ比（シグナル/ノイズ比）及びビットエラーレートを、一定間隔毎に切り換え制御部１８に送出する。なお、ビットエラーレートは、例えば、リードソロモン復号前のデータと、リードソロモン復号後のデータを再符号化したデータとを比較することにより算出することが可能である。
【００２６】
分離部１４は、入力されたトランスポートストリームをＴＳパケット単位でＡ階層のデータとＢ階層のデータとに分離する。ＩＳＤＢ-Ｔ規格の場合、Ａ階層のコンテンツ信号が含まれているＴＳパケットは、そのＩＤ（ＰＩＤ）が固定値となっている。そのため、分離部１４は、ＴＳパケットのＰＩＤを参照し、ＰＩＤが上記の固定値である場合にはそのＴＳパケットにはＡ階層のコンテンツ信号が含まれていると判断し、ＰＩＤがそれ以外の値であればＢ階層のコンテンツ信号が含まれていると判断することができる。分離部１４により分離されたＡ階層のコンテンツ信号が含まれたＴＳパケットはＡ階層コンテンツ復号部１５に供給され、Ｂ階層のコンテンツ信号が含まれたＴＳパケットは、Ｂ階層コンテンツ復号部１６に供給される。
【００２７】
Ａ階層コンテンツ復号部１５は、入力されたＴＳパケットに対してデコード処理を行い、所定のビデオフォーマットの映像信号及び所定のオーディオフォーマットの音声信号を生成する。Ａ階層コンテンツ復号部１５により復号され映像信号及び音声信号は、切換出力部１７に供給される。なお、Ａ階層コンテンツ復号部１５から出力された映像信号及び音声信号を、以下、Ａ階層コンテンツ信号という。
【００２８】
Ｂ階層コンテンツ復号部１６は、入力されたＴＳパケットに対してデコード処理を行い、所定のビデオフォーマットの映像信号及び所定のオーディオフォーマットの音声信号を生成する。Ｂ階層コンテンツ復号部１６により復号され映像信号及び音声信号は、切換出力部１７に供給される。なお、Ｂ階層コンテンツ復号部１６から出力された映像信号及び音声信号を、以下、Ｂ階層コンテンツ信号という。
【００２９】
切換出力部１７は、切り換え制御部１８からの制御に応じて、Ａ階層コンテンツ信号又はＢ階層コンテンツ信号のいずれか一方の信号を選択し、選択した１つのコンテンツ信号を出力する。切換出力部１７から出力されるコンテンツ信号は、ビデオ/オーディオ出力端子２０を介して、図示しない映像表示装置及び音声出力装置、又は記録装置等に供給される。
【００３０】
切り換え制御部１８は、受信信号のＳ/Ｎ比並びに出力されるトランスポートストリームのビットエラーレート（ＢＥＲ）が、ＯＦＤＭ復調/伝送路復号部１３から一定時間間隔毎に入力される。切り換え制御部１８は、入力されたＳ/Ｎ比及びビットエラーレートに基づき、Ａ階層コンテンツ信号を出力するかＢ階層コンテンツ信号を出力するかを決定し、その決定に応じて切換出力部１７の切換制御を行う。
【００３１】
以上のような構成の地上デジタル放送受信装置１０では、階層伝送により２つのサービス（コンテンツ信号）が含まれたＯＦＤＭ方式の放送信号を受信し、２つのサービスのうちのいずれか一方のサービス（コンテンツ信号）を出力することができる。
【００３２】
つぎに、切り換え制御部１８の切り換え制御について、図２のフローチャートを参照して説明をする。
【００３３】
まず、受信が開始されると、切り換え制御部１８は、その時の受信信号のＳ/Ｎ比を参照し、そのＳ/Ｎ比が第１の閾値（例えば２０ｄＢ）以上であるか否かを判断する（ステップＳ１）。すなわち、ステップＳ１において、切り換え制御部１８は、受信信号の品質が第１の閾値よりも良好であるか否かを判断している。
【００３４】
続いて、切り換え制御部１８は、ステップＳ１で受信信号のＳ/Ｎ比が第１の閾値（例えば２０ｄＢ）以上であると判断した場合には、次に、弱階層（Ｂ階層）に含まれているトランスポートストリームのビットエラーレートを参照し、そのビットエラーレートが所定値（例えば１０−３）より小さいか否かを判断する（ステップＳ２）。この所定値（例えば１０−３）は、Ｂ階層に含まれているコンテンツ信号を視聴した場合に、視聴可能な最大のエラーレートである。すなわち、切り換え制御部１８は、Ｂ階層に含まれているトランスポートストリームが、視聴が可能な程度まで復元がされているか否かを判断している。
【００３５】
続いて、切り換え制御部１８は、ステップＳ２でＢ階層のビットエラーレートが所定値（例えば１０−３）よりも小さいと判断した場合には、弱階層に含まれているコンテンツ信号（すなわち、Ｂ階層コンテンツ信号）を出力するように、切換出力部１７を設定する（ステップＳ３）。切換出力部１７は、Ｂ階層コンテンツ信号を出力するように設定されると、Ｂ階層コンテンツ復号部１６から出力されたＢ階層コンテンツ信号を選択し、端子２０を介して外部に出力する。
【００３６】
以後、切り換え制御部１８は、以上のステップＳ１からステップＳ３までの処理を、一定の時間毎（例えば、Ｓ/Ｎ比の転送間隔毎）に繰り返し行う。従って、切り換え制御部１８は、受信信号のＳ/Ｎ比が第１の閾値（例えば２０ｄＢ）より小さくなるか、又は、Ｂ階層のビットエラーレートが所定値（例えば１０−３）以上となるまで、Ｂ階層コンテンツ信号を出力し続ける。つまり、受信品質がある一定の以上を保ち続ければ、弱階層に変調されている高画質及び高音質且つエラー耐性の低いコンテンツ信号を出力する。
【００３７】
一方、ステップＳ１で受信信号のＳ/Ｎ比が第１の閾値（例えば２０ｄＢ）より小さいと判断した場合、又は、ステップＳ２でＢ階層のビットエラーレートが所定値（例えば１０−３）以上であると判断した場合には、ステップＳ１からステップＳ３までのループを抜けて、ステップＳ４に進む。
【００３８】
ステップＳ４では、切り換え制御部１８は、Ａ階層コンテンツ信号を出力するように、切換出力部１７を設定する（ステップＳ４）。切換出力部１７は、Ａ階層コンテンツ信号を出力するように設定されると、Ａ階層コンテンツ復号部１５から出力されたＡ階層コンテンツ信号を選択し、端子２０を介して外部に出力する。
【００３９】
ステップＳ４に続いて、切り換え制御部１８は、その時の受信信号のＳ/Ｎ比を参照し、そのＳ/Ｎ比が第２の閾値（例えば２４ｄＢ）以上であるか否かを判断する（ステップＳ５）。すなわち、切り換え制御部１８は、受信信号の品質が所定の閾値よりも良好であるか否かを判断している。なお、第２の閾値は、ヒステリシスを設けるために、第１の閾値よりも充分に高い値に設定されている。
【００４０】
続いて、切り換え制御部１８は、ステップＳ５で受信信号のＳ/Ｎ比が第２の閾値（例えば２４ｄＢ）より小さいと判断した場合には、次に、Ｓ/Ｎ比の移動平均を算出し、移動平均値の変化方向が上昇しているか否かを判断する（ステップＳ６）。すなわち、受信品質の移動平均を取った値が、受信品質が良好となる方向に変化しているか否かを判断している。
【００４１】
Ｓ/Ｎ比の移動平均値は、一定時間間隔毎に測定されたＳ/Ｎ比の値の過去の所定サンプル分を取り出し、その平均を演算した値である。このように移動平均を演算することによって、移動受信により激しくＳ/Ｎ比が変動する場合であっても、その変動の影響を少なくすることができるとともに、応答性のよい平均値を出力することができる。
【００４２】
切り換え制御部１８は、このように、Ｓ/Ｎ比の移動平均値が上昇しているか否かを判断することによって、受信信号の品質が良くなる方向に変化しているのか否かを判断している。
【００４３】
続いて、切り換え制御部１８は、ステップＳ５で受信信号のＳ/Ｎ比が第２の閾値（例えば２４ｄＢ）以上であると判断したか、又は、ステップＳ６でＳ/Ｎ比の移動平均値の変化方向が上昇していると判断した場合には、次にＢ階層のコンテンツ信号が含まれているトランスポートストリームのビットエラーレートを参照し、そのビットエラーレートが所定値（例えば１０−３）より小さいか否かを判断する（ステップＳ７）。すなわち、切り換え制御部１８は、Ｂ階層のコンテンツ信号が、視聴が可能な程度まで復号がされているか否かを判断している。
【００４４】
切り換え制御部１８は、ステップＳ７でＢ階層のビットエラーレートが所定値（例えば１０−３）よりも小さいと判断した場合には、ステップＳ４からステップＳ７のループを抜けてステップＳ３に進み、Ｂ階層コンテンツ信号を出力するように、切換出力部１７を設定する。
【００４５】
切り換え制御部１８は、ステップＳ６でＳ/Ｎ比の移動平均値の変化方向が上昇していない判断した場合、又は、ステップＳ７でＢ階層のビットエラーレートが所定値（例えば１０−３）以上であると判断した場合には、ステップＳ４に戻る。
【００４６】
以後、切り換え制御部１８は、ステップＳ４からステップＳ７までの処理を、一定の時間毎（例えば、Ｓ/Ｎ比の転送間隔毎）に繰り返し行う。従って、切り換え制御部１８は、受信信号のＳ/Ｎ比が第２の閾値（例えば２４ｄＢ）以上となるか又はＳ/Ｎ比の移動平均値が上昇し、且つ、Ｂ階層のビットエラーレートが所定値（例えば１０−３）より小さくなるまで、Ａ階層コンテンツ信号を出力し続ける。つまり、移動端末向けの低画質及び低音質のコンテンツ信号を出力し続ける。
【００４７】
以上のように、切り換え制御部１８では、受信開始時には、受信信号のＳ/Ｎ比が第１の閾値以上であるか否か（すなわち、受信品質が第１の閾値より良好であるか否か）を判断し、Ｓ/Ｎ比が第１の閾値以上であれば弱階層（エラー耐性の低い階層）から復号されたコンテンツ信号を出力し、Ｓ/Ｎ比が第１の閾値より小さければ、強階層（エラー耐性の高い階層）から復号されたコンテンツ信号を出力する。
【００４８】
また、切り換え制御部１８では、弱階層の信号（Ｂ階層コンテンツ信号）を出力しているときには、受信信号のＳ/Ｎ比が第１の閾値以上であるか否か（すなわち、受信品質が第１の閾値より良好であるか否か）を一定時間毎に判断し、Ｓ/Ｎ比が第１の閾値以上であれば弱階層（エラー耐性の低い階層）から復号されたコンテンツ信号を出力し続け、Ｓ/Ｎ比が第１の閾値より低くなれば、出力する信号を強階層（エラー耐性の高い階層）から復号されたコンテンツ信号に切り換える。
【００４９】
また、切り換え制御部１８では、強階層の信号（Ａ階層コンテンツ信号）を出力しているときに、受信信号のＳ/Ｎ比が第２の閾値以上であるか否か（すなわち、受信品質が第２の閾値より良好であるか否か）を一定時間毎に判断し、Ｓ/Ｎ比が第２の閾値より低くければ強階層（エラー耐性の高い階層）から復号されたコンテンツ信号を出力し続け、Ｓ/Ｎ比が第２の閾値以上であれば、出力する信号を弱階層（エラー耐性の低い階層）から復号されたコンテンツ信号に切り換える。
【００５０】
以上の処理を行うことにより地上デジタル放送受信装置１０では、受信品質に応じて適応的に弱階層又は強階層の信号を出力することができる。
【００５１】
さらに、切り換え制御部１８では、弱階層から強階層へ切り換えの閾値となるＳ/Ｎ比（第１の閾値）よりも、強階層から弱階層へ切り換えの閾値となるＳ/Ｎ比（第２の閾値）の方を高くすることによって、切り換え制御にヒステリシスを設定している。このことにより、地上デジタル放送受信装置１０では、頻繁な切り換えが行われないように設定がされている。
【００５２】
また、さらに、切り換え制御部１８では、強階層（エラー耐性の高い階層）のコンテンツ信号の出力時に、Ｓ/Ｎ比が第２の閾値よりも小さい場合であっても、Ｓ/Ｎ比の移動平均値が上昇しているため、Ｓ/Ｎ比が回復して受信品質が良好になると予想される場合には、弱階層側に切り換えを行う。このことにより地上デジタル放送受信装置１０では、弱階層のコンテンツ信号が可能な状況であれば、なるべく弱階層のコンテンツ信号を出力することができ、高画質及び高音質のコンテンツ信号を受信することができる範囲を広げることができる。
【図面の簡単な説明】
【００５３】
【図１】本発明を適用した地上デジタル放送受信装置のブロック構成図である。
【図２】地上デジタル放送受信装置の動作を示すフローチャートである。
【図３】階層伝送方式を説明するための図である。
【符号の説明】
【００５４】
１０  地上デジタル放送受信装置、１１  アンテナ、１２  チューナ、１３  ＯＦＤＭ復調/伝送路復号部、１４  分離部、１５  Ａ階層コンテンツ復号部、１６  Ｂ階層コンテンツ復号部、１７  切換出力部、１８  切り換え制御部
【図１】
2005223549.tif 000003
【図２】
2005223549.tif 000004
【図３】
2005223549.tif 000005